(57)【要約】【課題】存在する画像データが使用者に判り易く、しかも、添付すべきでない画像データを電子メールに添付することを防止した携帯式電話機を提供する。【解決手段】携帯電話機は、メモリと表示部とを備えている。メモリには、画像データと、画像データの管理情報と、画像データの表す画像の縮小画像の画像データとが対応付けられて記憶される。表示部は、前記画像、前記管理情報または前記縮小画像を表示することが可能である。表示部は、前記管理情報に基づき、表示する画像の画像データを選択する際と、電子メールに添付する画像データを選択する際とで、該画像データが添付不可であることを異なる様式で表示する。【選択図】図１３
2006146931.tif 000002
【特許請求の範囲】
【請求項１】
画像データと、画像データの管理情報と、縮小画像データとを対応付けて記憶するメモリと、
前記画像、前記管理情報または前記縮小画像を表示可能な表示部と、
動作指示のために使用者によって操作される操作部とを備え、
操作部の操作により、選択したい管理情報または縮小画像に表示部のカーソルを位置させて電子メールに添付する画像データを選択し、選択した画像データを電子メールに添付可能な携帯式電話機であって、
前記管理情報は、ファイル名、画像種類および著作権属性を含んでおり、
電話機全体の動作を制御する制御部をさらに備えており、
前記表示部に表示する画像の画像データを操作部の操作によって選択する際と、電子メールに添付する画像データを操作部の操作によって選択する際とで、前記表示部は、電子メールへの添付が不可となる画像データに対応するファイル名または縮小画像を異なる様式で表示し、
前記制御部は、表示部のカーソルが存在する表示位置に対応する画像データの著作権属性および画像種類に基づいて、対応する画像データの電子メールへの添付の可否を判断して、添付可の画像データのみを電子メールに添付することを特徴とする携帯式電話機。
【請求項２】
画像データと、画像データの管理情報と、縮小画像データとを対応付けて記憶するメモリと、
前記画像、前記管理情報または前記縮小画像を表示可能な表示部と、
動作指示のために使用者によって操作される操作部とを備え、
操作部の操作により、選択したい管理情報または縮小画像に表示部のカーソルを位置させて電子メールに添付する画像データを選択し、選択した画像データを電子メールに添付可能な携帯式電話機であって、
前記管理情報は、ファイル名、画像種類および著作権属性を含んでおり、
電話機全体の動作を制御する制御部をさらに備えており、
前記表示部に表示する画像の画像データを操作部の操作によって選択する際と、電子メールに添付する画像データを操作部の操作によって選択する際とで、前記表示部は、電子メールへの添付が不可となる画像データに対応するファイル名または縮小画像を異なる様式で表示し、
前記制御部は、表示部のカーソルが存在する表示位置に対応する画像データの画像種類に基づいて、対応する画像データの電子メールへの添付の可否を判断して、添付可の画像データのみを電子メールに添付することを特徴とする携帯式電話機。
【発明の詳細な説明】
【技術分野】
【０００１】
本発明は、画像を表す画像データを電子メールに添付して送信する機能を有する携帯式電話機に関する。
【背景技術】
【０００２】
電話機能を通じてインターネットに接続する携帯式電話機が普及しつつある。このような携帯式電話機では、パーソナルコンピュータと同様に、インターネットを介して情報をダウンロードしたり、電子メールにファイルを添付して送受したりすることができる。多くの携帯式電話機は、比較的大きな表示装置を備えて、画像を表示し得るようになっており、ダウンロードした画像データや受信メールに添付された画像データが表す画像を表示することができる。携帯式電話機にカメラを備えることも行われており、撮影した画像を表示したり、その画像データをメールに添付して送信することも可能である。
【０００３】
近年では、視差のある左右の画像を表す画像データがインターネットを介して提供されており、平面的な２次元の画像だけでなく、立体的な３次元の画像を表示する携帯式電話機も提案されている（例えば、特開２００１−２５１４０３号公報）。このような携帯式電話機では、２次元の画像を表示するときと３次元の画像を表示するときとで、表示装置の設定が切り替えられる。
【０００４】
さらに、カメラで撮影した画像を表す２次元の画像データから、立体的な画像を表す３次元の画像データを生成する技術も開発されている（例えば、特開２０００−２２８７７８号公報）。携帯式電話機は小型軽量であることが好ましく、したがって、カメラを２つ備えて左眼用と右眼用の画像を撮影する構成は実用的でないから、２次元の画像データから３次元の画像データを生成する技術は、携帯式電話機に好適である。
【０００５】
画像データはファイルとして取り扱われ、ファイルには、画像を識別するための名称と、画像の種類つまり画像データの書式を表す拡張子とから成るファイル名が付される。画像データはデータ量が多いため、通常、圧縮しておき、表示の際に圧縮の逆処理である解凍を行って、表示に適する形態に戻される。圧縮はＪＰＥＧ方式に従って行うのが一般的であり、この場合の画像データのファイル名の拡張子は「ＪＰＥＧ」または「ＪＰＧ」とされる。ファイルには、画像データと共に、画像の大きさ（画素数）が記される。また、インターネットを介して提供される画像データのファイルには、著作者名等の著作権に関する情報も付加される。
【０００６】
使用者は、画像の表示やメールへの画像データの添付に際し、ファイル名を一覧表示させて、画像データを選択することができる。しかし、ファイル名を表示するだけでは、画像データが表す画像の内容が判り難く、不便である。そこで、各画像データから本来の画像を縮小した画像を表す画像データを作成して、それらの画像を並べて表示することが行われている。このような縮小した画像はサムネイル画像と呼ばれる。サムネイル画像の画像データは、元の画像データから離間した画素データを抽出することによって、すなわち、画像データを間引くことによって作成する。サムネイル画像を並べて表示することで、多くの画像データがそれぞれ表す画像の内容が直ちに判り、使用者の選択がきわめて容易になる。
【特許文献１】特開２００１−２５１４０３号公報
【特許文献２】特開２０００−２２８７７８号公報
【発明の開示】
【発明が解決しようとする課題】
【０００７】
前述のように、画像データを電子メールに添付して送信することが可能である。ただし、電子メールへの添付を全ての画像データについて許すと、他から入手した画像データについては著作権の侵害となることがある。これを避けるためには、電子メールに添付してよいか否かを、使用者が、付加されている著作権情報を参照して画像データごとに判断すればよいが、そのような手続は煩雑であり、使用者に大きな負担を強いることになる。そこで、著作権情報の有無を判別し、著作権情報のある画像データについては電子メールへの添付を許さないようにした携帯式電話機が提案されている。
【０００８】
このような携帯式電話機では、電子メールに添付する画像データを選択するときに表示するサムネイル画像の一覧には、添付不可の画像データのサムネイル画像を含めないようにしている。しかしながら、このようにすると、添付すべきでない画像データを電子メールに添付するという過ちを確実に防止することはできるものの、サムネイル画像が表示されないことにより、使用者は誤って画像データを消去してしまったのではないかという不安を抱く。また、不要な画像データを、消去していないにもかかわらず、既に消去したように錯覚することもある。
【０００９】
著作権情報が付加されている画像データのほかにも、電子メールに添付すべきでない、あるいは添付するのが好ましくない画像データがある。例えば、３次元の画像を表す画像データである。３次元の画像を表示し得る携帯式電話機は、提案からまだ日が浅く、広範に普及しているとは言い難いのが現状であり、３次元の画像を表す画像データを送信しても、受信側で利用できるとは限らず、無駄になり易い。
【００１０】
本発明は、このような問題点に鑑みてなされたもので、画像データの存在が使用者に判り易く、しかも、添付すべきでない画像データを電子メールに添付することを防止した携帯式電話機を提供することを目的とする。
【課題を解決するための手段】
【００１１】
上記目的を達成するために、本発明は、画像データと、画像データの管理情報と、縮小画像データとを対応付けて記憶するメモリと、前記画像、前記管理情報または前記縮小画像を表示可能な表示部と、動作指示のために使用者によって操作される操作部とを備え、操作部の操作により、選択したい管理情報または縮小画像に表示部のカーソルを位置させて電子メールに添付する画像データを選択し、選択した画像データを電子メールに添付可能な携帯式電話機であって、前記管理情報は、ファイル名、画像種類および著作権属性を含んでおり、電話機全体の動作を制御する制御部をさらに備えており、前記表示部に表示する画像の画像データを操作部の操作によって選択する際と、電子メールに添付する画像データを操作部の操作によって選択する際とで、前記表示部は、電子メールへの添付が不可となる画像データに対応するファイル名または縮小画像を異なる様式で表示し、前記制御部は、表示部のカーソルが存在する表示位置に対応する画像データの著作権属性および画像種類に基づいて、対応する画像データの電子メールへの添付の可否を判断して、添付可の画像データのみを電子メールに添付することを特徴としている。
【００１２】
また、本発明は、画像データと、画像データの管理情報と、縮小画像データとを対応付けて記憶するメモリと、前記画像、前記管理情報または前記縮小画像を表示可能な表示部と、動作指示のために使用者によって操作される操作部とを備え、操作部の操作により、選択したい管理情報または縮小画像に表示部のカーソルを位置させて電子メールに添付する画像データを選択し、選択した画像データを電子メールに添付可能な携帯式電話機であって、前記管理情報は、ファイル名、画像種類および著作権属性を含んでおり、電話機全体の動作を制御する制御部をさらに備えており、前記表示部に表示する画像の画像データを操作部の操作によって選択する際と、電子メールに添付する画像データを操作部の操作によって選択する際とで、前記表示部は、電子メールへの添付が不可となる画像データに対応するファイル名または縮小画像を異なる様式で表示し、前記制御部は、表示部のカーソルが存在する表示位置に対応する画像データの画像種類に基づいて、対応する画像データの電子メールへの添付の可否を判断して、添付可の画像データのみを電子メールに添付することを特徴としている。
【００１３】
なお、本発明の携帯式電話機は、以下の構成であってもよい。
【００１４】
本発明の携帯式電話機は、上記の携帯式電話機において、操作部の操作によって、画像データの電子メールへの添付可否の情報を前記管理情報に付加可能であり、当該電話機は、画像を撮影する撮像部をさらに備えており、前記画像データは、前記撮像部で撮影された画像の画像データであってもよい。
【００１５】
本発明の携帯式電話機は、上記の携帯式電話機において、画像データは、ダウンロード画像、撮影画像および動画の画像データのいずれかを含んでいてもよい。また、前記画像種類は、動画を含んでいてもよい。
【００１６】
本発明の携帯式電話機は、上記の携帯式電話機において、他の機器と通信するための外部機器インターフェースをさらに備えており、前記制御部は、表示部のカーソルが位置している管理情報または縮小画像に対応する管理情報に基づいて、対応する画像データの他の機器への送信の可否を判断してもよい。また、前記制御部は、表示部のカーソルが位置している管理情報または縮小画像に対応する管理情報が送信不可の情報を有するときは、対応する画像データの他の機器への送信を不可と判断してもよい。
【００１７】
本発明の携帯式電話機は、上記の携帯式電話機において、操作部の操作によって電子メールに添付する画像データを選択する際に、前記表示部は、添付不可の画像データについては添付不可である旨を表示してもよい。
【００１８】
本発明の携帯式電話機は、上記の携帯式電話機において、操作部の操作によって電子メールに添付する画像データを選択する際に、前記表示部は、添付不可の画像データについては添付不可である旨をその画像の縮小画像とともに表示してもよい。
【００１９】
本発明の携帯式電話機は、上記の携帯式電話機において、操作部の操作によって電子メールに添付する画像データを選択する際に、前記表示部は、添付可の画像データについてはその画像データが表す画像の縮小画像を表示する一方、添付不可の画像データについてはその画像データが表す画像の縮小画像とは異なる画像を表示してもよい。
【００２０】
本発明の携帯式電話機は、上記の携帯式電話機において、操作部の操作によって電子メールに添付する画像データを選択する際に、前記表示部は、添付可の画像データについてはその画像データが表す画像の縮小画像を表示する一方、添付不可の画像データについてはその画像データが表す画像の縮小画像を修飾して表示してもよい。
【００２１】
本発明の携帯式電話機は、上記の携帯式電話機において、操作部の操作によって電子メールに添付する画像データを選択する際に、前記表示部は、添付不可の画像データが表す画像の縮小画像を、色彩のない画像として表示してもよい。
【００２２】
本発明の携帯式電話機は、上記の携帯式電話機において、前記メモリは、画像データを記憶する保存用メモリと、画像データの処理に用いるパラメータを記憶するパラメータメモリとを有しており、圧縮処理におけるハフマン符号化の際に用いられるパラメータとしてのハフマンテーブルが、縮小画像の画像データに共通としてパラメータメモリに記憶されており、画像データとともに保存用メモリに記憶されていない場合、前記管理情報は、ハフマンテーブルを画像データとともに記憶していないことを示す情報を含んでいてもよい。
【発明の効果】
【００２３】
本発明によれば、電子メールに添付してよいか否かを使用者自身が判断する必要がなく、使用者の負担が軽減される。しかも、存在する全ての画像データが使用者に判り易く、電子メールへの添付が許されない画像データも明確になる。
【発明を実施するための最良の形態】
【００２４】
以下、本発明の一実施形態の携帯式電話機について図面を参照しながら説明する。本実施形態の携帯式電話機１の概略構成を図１に模式的に示す。携帯式電話機１は、通信部１１、音声入力部１２、音声出力部１３、操作部１４、撮像部１５、外部機器インターフェース（Ｉ／Ｆ）１６、表示部１７、および制御部１０を備える。
【００２５】
通信部１１は、送信すべき信号を搬送波に担持させてアンテナ１１ａより送出するとともに、アンテナ１１ａで受信した搬送波から信号を抽出する。音声入力部１２は送信すべき音声を取得し、音声出力部１３は受信した音声を出力する。操作部１４は、数字や文字あるいは所定の機能に対応づけられたいくつかのキーを備えており、電話番号や文字列の入力および動作の指示のために使用者によって操作される。操作部１４のキーには、表示部１７に表示されるカーソル（ポインタ）を上下左右に移動させるための４つのカーソルキーが含まれる。
【００２６】
撮像部１５は、ＣＣＤエリアセンサとこれに光を結像させるレンズを含むカメラより成り、画像を撮影する。外部機器インターフェース１６は、通信ケーブルを取り付けることが可能であり、ケーブルを介してパーソナルコンピュータ等の他の機器と通信する。表示部１７は液晶表示装置より成り、文字や画像を表示する。撮像部１５で撮影した画像は表示部１７に表示される。
【００２７】
制御部１０は、携帯式電話機１の全体の動作を制御するとともに、送受する音声や画像データの処理を行う。制御部１０にはＣＰＵ１０ａが含まれており、制御や各種処理は主としてＣＰＵ１０ａによってなされる。
【００２８】
携帯式電話機１は、インターネットに接続してウェブページから情報をダウンロードする機能や電子メールを送受する機能を有する。送受するメールには、様々なファイルを添付することが可能であり、これらのファイルには画像データを記したものも含まれる。ダウンロードされる情報にも画像データが含まれる。ダウンロードした画像データや受信メールに添付されていた画像データが表す画像は、撮像部１５で撮影した画像と同様に、表示部１７に表示することができる。
【００２９】
携帯式電話機１は、上記の各部のほか、表示用メモリ１８、作業用メモリ１９、保存用メモリ２０、プログラムメモリ２１、およびパラメータメモリ２２を備える。表示用メモリ１８は、表示部１７に表示すべき画像を表す画像データを一時的に記憶する。作業用メモリ１９は、制御部１０のＣＰＵ１０ａが制御や画像データの処理に必要な情報を一時的に記憶する。保存用メモリ２０は、画像データを記憶して保存する。保存用メモリ２０はフラッシュメモリより成り、書き換え可能であり、また、電力供給を受けないときにも記憶内容を失わない。
【００３０】
プログラムメモリ２１はＣＰＵ１０ａが行う動作を記したプログラムを記憶しており、パラメータメモリ２２はＣＰＵ１０ａが制御や画像データの処理に用いるパラメータを記憶している。これらのメモリ２１、２２はＲＯＭより成り、電力供給を受けないときでも記憶内容を失わない。
【００３１】
携帯式電話機１は、単一の画像データに基づいて平面的な２次元の画像を表示する機能に加え、視差のある左右の画像を表す２種の画像データに基づいて立体的な３次元の画像を表示する機能を有する。これらの画像の表示の原理を図２に示す。
【００３２】
表示部１７の液晶表示装置は透過型であり、赤色（Ｒ）光を選択的に透過させるフィルターを備え、画像のＲ成分を表示する画素（Ｒ画素という）群と、緑色（Ｇ）光を選択的に透過させ、画像のＧ成分を表示する画素（Ｇ画素という）群と、青色（Ｂ）光を選択的に透過させるフィルターを備え、画像のＢ成分を表示する画素（Ｂ画素という）群を有する。これら３種の画素群は、図２（ａ）に示すように、それぞれ縦方向に列を成すように配置されており、また、この順で横方向に交互に配置されている。横方向に並ぶ３つの画素（Ｒ画素、Ｇ画素、Ｂ画素）が画像の１点を表す。
【００３３】
２次元の画像を表示するときは、画像の各点を横方向および縦方向に連続して表示する。全ての画素からの光は使用者の左眼と右眼の双方に導かれる。一方、３次元の画像を表すときは、図２（ｂ）に示すように、横方向については、左眼用の画像と右眼用の画像を、１画素ごとに交互に表示する。縦方向については、左眼用の画像、右眼用の画像共に、画像の各点を連続して表示する。左眼用の画像の光は左眼のみに導かれ、右眼用の画像は右眼のみに導かれる。
【００３４】
３次元の画像の提供に際し、左眼用の画像の光と右眼用の画像の光をそれぞれ選択的に左眼および右眼に導くための構成を図３に模式的に示す。表示部１７は、２つの透過型液晶パネル１７ａ、１７ｂ、導光板１７ｃおよび光源１７ｄより成る。光源１７ｄは白色光を発して、発した光を導光板１７ｃにその端面より入射させる。導光板１７ｃは、上面または下面に微細な凹凸（不図示）を有しており、端面より入射した光を、上下両面で全反射して他方の端面に向けて導きつつ、凹凸によって上面から出射させる。
【００３５】
液晶パネル１７ａは、画像を表示するためのものであり、前述のＲ画素群、Ｇ画素群、Ｂ画素群より成る。導光板１７ｃからの光は、液晶パネル１７ａによって変調されて、画像を表す光となる。なお、液晶パネル１７ａの上面および下面に対向して偏光板が設けられているが、ここでは図示していない。
【００３６】
液晶パネル１７ｂは、縦方向（図３の紙面に垂直な方向）に延びる透明電極（不図示）を有しており、斜線を付して示したように、電圧印加時にストライプ状の遮光部を現出する。液晶パネル１７ｂは各遮光部が液晶パネル１７ａの画素と画素の間に対向するように配置されている。液晶パネル１７ａの横方向に並ぶ画素のうち、奇数番目の画素からの光は、液晶パネル１７ｂの遮光部によって遮断されて右眼には達せず、左眼のみに達し、逆に、偶数番目の画素からの光は、遮光部によって遮断されて左眼には達せず、右眼のみに達する。左眼用の画像と右眼用の画像を１画素ごとに交互に表示することにより、３次元の画像が使用者に提供される。
【００３７】
２次元の画像を表示する際には、液晶パネル１７ｂに電圧を印加せず、遮光部を現出させない。この場合、液晶パネル１７ａの全ての画素からの光は、左眼と右眼の双方に達する。この設定で２次元の画像を表示する状態を２Ｄモードといい、図３に示した設定で３次元の画像を表示する状態を３Ｄモードという。
【００３８】
インターネットを介してダウンロードする画像データや受信メールに添付されている画像データには、２次元の画像を表すものと、３次元の画像を表すものがある。３次元の画像を表す画像データのデータ配列を図４に模式的に示す。左眼用の画像データと右眼用の画像データはそれぞれ２次元の画像を表す画像データの半分の大きさであり、画像の横方向の１列ごとに、左眼用の画像データと右眼用の画像データが並べて配置される。各画像データ中では、画像の１点を表すＲ画素用、Ｇ画素用、Ｂ画素用のデータ（それぞれ、Ｒ画素データ、Ｇ画素データ、Ｂ画素データという）の組が横方向に並べて配置されている。
【００３９】
この画像データに基づいてそのまま画像を表示すると、その画像は図５（ａ）に示したように、左眼用の画像と右眼用の画像が左右に分離して表示されることになる。そこで、図４の画像データをそのまま用いるのではなく、横方向の配列を変更して、左眼用の画像データと右眼用の画像データとを１画素データごとに交互に並べる。この配列変更後の画像データを表示すると、図５（ｂ）に示したように、左眼用の画像と右眼用の画像が融合して表示される。この画像を３Ｄモードで表示することで、立体的な像が使用者に提供される。
【００４０】
携帯式電話機１は、２次元の画像を表す画像データから３次元の画像を表す画像データを生成する機能を有する。これは、２次元の画像データから、Ｒ画素データ、Ｇ画素データ、Ｂ画素データの組を１組おきに抽出して（間引いて）左眼用の画像データとし、この左眼用の画像データに含まれるＲ画素データ、Ｇ画素データ、Ｂ画素データの各組を、左右方向の位置に応じて、端に近いものほどシフト量が大きくなるようにシフトさせて、右眼用の画像データとする。この機能により、インターネットを介して取得した２次元の画像データや、撮像部１５で撮影した画像を表す画像データから、３次元の画像を表す画像データが得られ、３次元の画像を提供することが可能になる。
【００４１】
なお、本実施形態では、左右を区別するときに、上記のように、左を主、右を従として説明するが、いずれを主としてもかまわない。説明中の「左」と「右」は相互に置き換えて読むことができる。
【００４２】
携帯式電話機１は、多数の画像データを個別のファイルとして保存用メモリ２０に記憶する。インターネットを介してダウンロードした画像データや受信メールに添付されていた画像データのファイルについては、元々付されていたファイル名を付し、撮像部１５で撮影した画像を表す画像データのファイルについては、所定のファイル名を付す。これらのファイル名は使用者が任意に変更することができる。
【００４３】
記憶している画像データが表す画像を表示部１７に表示するとき、および記録している画像データを電子メールに添付して送付するとき、使用者は、ファイル名を一覧として表示部１７に表示させて、所望のものを選択することができる。携帯式電話機１は、使用者による選択をより容易にするために、サムネイル画像を一覧表示する機能も有する。サムネイル画像を表す画像データは、インターネットを介して取得した画像データ、または撮像部１５によって撮影した画像を表す画像データから作成しておき、元の画像データと共にその画像データのファイル内に記憶しておく。
【００４４】
サムネイル画像は２次元の画像とすることもできるし、３次元の画像とすることもできる。サムネイル画像の表示例を図６（ａ）〜図６（ｅ）に示す。これらの図において、三角形で表記したサムネイル画像は元の画像データが２次元の画像を表すものあることを意味し、円形または楕円形で表記したサムネイル画像は元の画像データが３次元の画像を表すものであることを意味する。サムネイル画像は、２Ｄモードで一律に平面的に、または３Ｄモードで一律に立体的に表示する。
【００４５】
図６（ａ）〜図６（ｄ）は２Ｄモードでのサムネイル画像の表示例であり、図６（ｅ）は３Ｄモードでのサムネイル画像の例である。いずれの例においても、２次元の画像を表す画像データから作成したサムネイル画像と、３次元の画像データから作成したサムネイル画像が混在している。
【００４６】
サムネイル画像を表す画像データは、元の画像データからＲ画素データ、Ｇ画素データ、Ｂ画素データの組を複数の組あたり１組抽出して（間引いて）作成する。元の画像データが３次元の画像を表す場合の２次元のサムネイル画像の画像データの作成には、３通りの方法がある。まず、図６（ａ）に示すように、図４のデータ配列全体から生成することができる。また、図６（ｂ）に示すように、図４のデータ配列のうち、左眼用の画像データのみから生成することもできる。さらに、図６（ｃ）に示すように、左眼用の画像データのみから、横方向の間引き率を半分にして、生成することもできる。
【００４７】
左眼用の画像データのみからサムネイル画像の画像データを作成する場合、元の画像データが２次元の画像を表すものか３次元の画像を表すものかが、使用者にとって判り難くなる。そこで、各サムネイル画像と共に、元の画像データが表す画像の次元を記号で表示するとよい。図６（ｄ）は、図６（ｃ）の表示に、「２Ｄ」および「３Ｄ」の記号を加えたものである。
【００４８】
元の画像データが３次元の画像を表す場合の３次元の画像を表す画像データの作成は、図４のデータ配列を、前述のように、左眼用の画素データと右眼用の画素データが交互に並ぶ形式に変換し、その変換後の画像データを用いて行う。また、元の画像データが２次元の画像を表す場合の３次元の画像を表す画像データの作成は、元の画像データからのデータ抽出により左眼用の画像データを作成し、この左眼用の画像データから右眼用の画像データを生成し、さらに、左眼用の画素データと右眼用の画素データが交互に並ぶ形式に変換して、その変換後の画像データを用いて行う。
【００４９】
また、元の画像データが２次元の画像を表す場合、元の画像データからのデータ抽出により左眼用の画像データを作成し、この左眼用の画像データをそのまま複写して右眼用の画像データとし、左眼用の画素データと右眼用の画素データが交互に並ぶ形式に変換して、その変換後の画像データを用いて行うようにしてもよい。このようにすると、３Ｄモードでの表示により、左右の眼に視差のない画像、つまり２次元の画像が提供されることになる。
【００５０】
サムネイル画像の大きさは一定であり、したがって、その画像データの大きさ（画素数）も一定である。一方、撮像部１５で撮影する画像の大きさは一定であるものの、インターネットを介して取得する画像の大きさは、提供者によって異なる。このため、サムネイル画像を表す画像データの作成に際しては、元の画像の大きさを考慮する。具体的には次のようにしてサムネイル画像の画像データを作成する。
【００５１】
まず、サムネイル画像の横方向の大きさ（画素数）に対する元の画像の横方向の大きさ（画素数）の比と、サムネイル画像の縦方向の大きさに対する元の画像の縦方向の大きさの比を算出する。そして、小さい方の比に従って元の画像データから画素データを抽出して、中間画像データを生成する。この中間画像データは、比の小さい方向についてはサムネイル画像に合致した大きさとなる。次いで、比の大きい方向について、中間画像データのうちのサムネイル画像の大きさを超える部分を削除する。これで、元の画像データの大きさによらず、一定の大きさのサムネイル画像を表す画像データが得られる。
【００５２】
画像データ取得時の携帯式電話機１の処理の流れの概略を図７に示す。まず、インターネットからのダウンロード、電子メール受信、または撮像部１５での撮影によって画像データを取得し（ステップ＃１０）、取得した画像データをファイルとして保存用メモリ２０に記憶する（＃１１）。次いで、取得した画像データならびにその画像データのファイル名およびファイルに付加されている情報を解析して、画像データの種類（書式）、画像の次元、著作権に関する情報等を得て（＃１２）、それらを画像データの属性として、画像データのファイルに記憶する（＃１３）。さらに、取得した画像データからサムネイル画像を表す画像データを作成し（＃１４）、その画像データを元の画像データのファイルに記憶する（＃１５）。最後に、取得した画像データが表す画像を、その次元に応じて２Ｄモードまたは３Ｄモードで、表示部１７に表示する（＃１６）。
【００５３】
ステップ＃１２および＃１３の処理においては、作業用メモリ１９を使用する。作業用メモリ１９および保存用メモリ２０における記憶内容の構造を、それぞれ図８（ａ）および図８（ｂ）に模式的に示す。図８（ｂ）に示すように、保存用メモリ２０には、画像データごとのファイルが記憶され、全てのファイルには一連の番号が付されている。なお、ここでは、番号が１のファイルが削除されて存在しなくなった状態の例を示している。
【００５４】
保存用メモリ２０中の各ファイルは、管理情報、サムネイル画像データ、および画像データで構成される。管理情報には、画像の種類（書式）、画像の次元属性、著作権属性、ファイル名、画像サイズ（画像データの横方向と縦方向の画素数）が含まれる。サムネイル画像データは、圧縮して記憶しておき、その圧縮処理に関する情報を付加しておく。また、画像データは、取得時に圧縮されており、圧縮処理に関する情報と共にそのまま記憶する。画像データには、前述のように、２次元の画像を表すものと３次元の画像を表すものがある。
【００５５】
作業用メモリ１９には、保存用メモリ２０中の全ての画像データのファイルの管理情報と、先頭の画像データの番号が記憶される。また、各画像データの管理情報ごとに、次の画像データの番号が記憶される。図８（ａ）の例では、先頭の画像データの番号（画像番号）は「２」、２番目の画像データの次の画像データの番号は「３」である。最後の画像データの管理情報には、次の画像データの番号として「０」が記憶される（不図示）。さらに、インターネットを介して画像データを取得したときには、その画像データに付加されている画像の種類（書式）を表す情報および著作権に関する情報を、作業用メモリ１９の所定の領域に記憶しておく（不図示）。
【００５６】
制御部１０は、電力供給開始時に、保存用メモリ２０から全ての画像データの管理情報を読み出して作業用メモリ１９に記憶させておく。以降は、作業用メモリ１９を参照して、保存用メモリ２０の各ファイルを管理する。管理には、画像データの番号を用いる。保存用メモリ２０からファイルを削除したときには、対応する管理情報を作業用メモリ１９から削除し、作業メモリ１９中の次の画像データの番号を適宜変更する。また、新たな画像データを保存用メモリ２０に記憶させたときは、その管理情報を作業用メモリ１９に記憶し、作業メモリ１９中の次の画像データの番号を適宜変更する。
【００５７】
一般に、インターネットを介して提供される画像データはＪＰＥＧ方式に従って圧縮されており、撮像部１５によって撮影した画像を表す画像データも、ＪＰＥＧ方式に従って圧縮する。ただし、インターネットを介して提供されるＪＰＥＧ方式の画像データのファイル名の拡張子は、２次元の画像を表すときには「ＪＰＥＧ」または「ＪＰＧ」とされ、３次元の画像を表すときには「ＳＴＪ」とされている。携帯式電話機１でもこれに準じて、撮影した２次元の画像を表す画像データについては、ファイル名の拡張子を「ＪＰＥＧ」または「ＪＰＧ」とし、その画像データから生成した３次元の画像を表す画像データについては、そのファイル名の拡張子を「ＳＴＪ」とする。
【００５８】
携帯式電話機１は、動きのある画像を表す２つ以上の画像データから、それらの画像の中間のいくつかの画像を表す画像データを生成して、動きの滑らかな動画を表示する機能を有する。このような画像をＥアニメーションという。Ｅアニメーションにも、平面的な２次元の画像と立体的な３次元の画像がある。また、Ｅアニメーションの画像データはインターネットを介して提供されている。提供されるＥアニメーションの画像データもＪＰＥＧ方式に従って圧縮されている。ただし、Ｅアニメーションの画像データは、２次元の画像を表すか３次元の画像を表すかにかかわらず、ファイル名の拡張子を「ＮＶＡ」とされる。携帯式電話機１においてもこれに準じて、全てのＥアニメーションの画像データについて、ファイル名の拡張子を「ＮＶＡ」とする。
【００５９】
図７に示した画像データ取得時の処理のうち、ステップ＃１２〜＃１５における処理をより詳細に図９に示す。まず、保存用メモリ２０から画像データを読み出す（ステップ＃１０２）。読み出しに際しては、画像データに付されている圧縮処理の情報を用いて解凍する。そして、作業用メモリ１９の前述の所定領域を参照して、画像の種類を判別する（＃１０４）。撮像部１５での撮影により画像データを取得したときには、作業用メモリ１９の所定領域には何も記憶していないが、このときは画像の種類を「ＪＰＥＧ」とする。
【００６０】
次いで、画像データを解析して、Ｅアニメーションの画像であるか否かを判別する（＃１０６）。Ｅアニメーションでないときは、ファイル名を調べて、拡張子が「ＳＴＪ」であるか否を判別する（＃１０８）。拡張子が「ＳＴＪ」であれば、２Ｄ／３Ｄ属性を「３Ｄ」とし（＃１１４）、そうでなければ、２Ｄ／３Ｄ属性を「２Ｄ」とする（＃１１６）。２Ｄ／３Ｄ属性は作業用メモリの所定領域に記憶しておく（＃１１８）。Ｅアニメーションの画像データであれば、画像データを解析して２次元の画像データであるか、３次元の画像データであるかを判別する（＃１１０）。３次元の画像データのときには、２Ｄ／３Ｄ属性を「３Ｄ」とし（＃１１４）、２次元の画像データのときには、２Ｄ／３Ｄ属性を「２Ｄ」とする（＃１１６）。
【００６１】
そして、作業用メモリ１９の前述の所定領域を参照して著作権に関する情報の有無を判別し（＃１２０）、あれば著作権属性を「あり」とし（＃１２２）、なければ著作権属性を「なし」とする（＃１２４）。また、サムネイル画像の画像データを作成し（＃１２６）、作成した画像データを圧縮する（＃１２８）。
【００６２】
次いで、保存用メモリ２０中の画像データに付す画像番号Ｎを１とする（＃１３０）。そして、その画像番号Ｎの管理情報を作業用メモリ１９に記憶しているか否かを調べ（＃１３２）、記憶していれば画像番号Ｎに１を加えて（＃１３４）、ステップ＃１３２に戻る。画像番号Ｎを記憶していなければ、保存用メモリ２０のうち、図７のステップ＃１１で記憶した画像データのファイル内に、圧縮したサムネイル画像の画像データ、画像種類属性、２Ｄ／３Ｄ属性、および著作権属性を記憶して保存する（＃１３６）。その際、そのファイル（画像データ）の番号をＮとする。また、作業用メモリ１９に、管理情報として、画像種類属性、２Ｄ／３Ｄ属性および著作権属性を記憶し（＃１３８）、その管理情報の番号をＮとする。
【００６３】
さらに、作業用メモリ１９に記憶した管理情報に付加する次の画像番号を、その時点での先頭の画像番号とし（＃１４０）、先頭の画像番号をＮとする（＃１４２）。
【００６４】
ステップ＃１２８におけるサムネイル画像の画像データの圧縮はＪＰＥＧ方式に従って行い、ステップ＃１３６におけるその画像データの記憶に際しては、後の解凍を可能にするために、圧縮処理に用いたパラメータも記憶しておく。ここで、サムネイル画像の画像データは、携帯式電話機１のみで使用するものであるので、一部のパラメータは常時一定として、全ての画像データに共通にすることが可能である。このような共通のパラメータをサムネイル画像の画像データごとに記憶するとすれば、保存用メモリ２０の記憶容量の無駄使いとなる。そこで、大きな記憶容量を必要とする共通のパラメータについては、画像データごとに記憶するのではなく、パラメータメモリ２２（図１参照）に記憶しておく。
【００６５】
ＪＰＥＧ方式による圧縮処理で用いられるパラメータを図１０に示す。圧縮は、ハフマン符号化とこれに続く量子化の２段階で行われ、それぞれハフマンテーブルと、量子化テーブルがパラメータとして用いられる。携帯式電話機１では、ハフマンテーブル（記号ＤＨＴ）を全てのサムネイル画像の画像データに共通として、これをサムネイル画像の画像データに付加して記憶するパラメータから除外する。ハフマンテーブル大きさは４００バイト程度であり、例えば、標準的な圧縮を用いた４８×４８ドットのサムネイル画像の画像データと全パラメータの大きさ（約９００バイト）の約４５％に相当するから、ハフマンテーブルを記憶しないことで、保存用メモリ２０の記憶容量の大きな節約となる。なお、量子化テーブル（記号ＤＱＴ）はハフマン符号化後の画像データに依存するため、画像データごとに個別に記憶する必要がある。
【００６６】
サムネイル画像の表示に際しては、圧縮されている画像データを、その画像データと共に記憶している量子化テーブルを用いて逆量子化し、さらに、パラメータメモリ２２に記憶しているハフマンテーブルを用いて逆符号化（復号化）する。
【００６７】
取得した画像データについては、ハフマンテーブルを含む全パラメータを記憶する。インターネットを介して提供される画像データは、ハフマンテーブルが共通でないからである。ただし、撮像部１５の撮影で取得した画像データについては、共通のハフマンテーブルをパラメータメモリ２２に記憶しておいて、これを用いて符号化を行って、ハフマンテーブルを記憶しないようにしてもよい。このようにすると、保存用メモリ２０の記憶容量のさらなる節約になる。
【００６８】
ハフマンテーブルを画像データと共に記憶しない場合、ハフマンテーブルを記憶していないことを示す情報を画像データに付加して記憶しておくとよい。このようにすると、その画像データを電子メールに添付して送信する際に、共通のハフマンテーブルを付加すべきことが明確になる。また、ハフマンテーブルを記憶しなかった画像データについては電子メールへの添付を許さないようにするときに、後述するように、電子メールへの添付が不可である旨をサムネイル画像と共に表示することができる。ハフマンテーブルを記憶していないことを示す情報は、前述の２Ｄ／３Ｄ属性や著作権属性と同様に、管理情報に含めておくのが好ましい。ハフマンテーブルの有無の判断を速やかに行うことが可能になる。
【００６９】
ハフマンテーブルを記憶しなかった画像データを、そのまま他の機器に提供することを許すようにしてもよい。この場合は、ハフマンテーブルが省略されていることを示す情報を画像データに付加しておく。そのような画像データを取得した機器は、付加されている情報によってハフマンテーブルが省略されていることが判り、適切な対策を講じることが可能になる。
【００７０】
例えば、携帯式電話機１が同じ機能を有する他の携帯式電話機からそのような画像データを取得したときは、共通のハフマンテーブルを用いて復号化を行うことにより、取得した画像データが表す画像を表示することが可能である。共通のハフマンテーブルを用いて復号化することができないときには、例えば「×」印や「表示不可」の文字を画像に代えて表示して、表示できないことを示すこともできる。ハフマンテーブルを省略して画像データを提供することは、通信量の低減にもつながり、ダウンロードや電子メールの送受に要する時間が短縮される。
【００７１】
電子メールを作成して送信する際の処理の流れの概略を図１１に示す。まず、使用者の入力操作に従って、電子メールを作成する（ステップ＃２０）。このとき、送信先のメールアドレスも設定しておく。次いで、作成した電子メールに画像データを添付することが指示されたか否かを判定する（＃２１）。画像データの添付が指示されていないときは、そのまま電子メールを送信する（＃２５）
画像データの添付が指示されたときは、サムネイル画像を一覧表示する（＃２２）。その際、元の画像データが２次元の画像を表すものであるか３次元の画像を表すものであるかにかかわらず、サムネイル画像を表示する。そして、使用者の指定した画像データを選択する（＃２３）。このとき、画像の次元、著作権等に基づいて、電子メールに添付してよい画像データをあらかじめ定めておき、添付してよい画像データのみを選択可能とする。最後に画像データを電子メールに添付して（＃２４）、送信する（＃２５）。
【００７２】
ステップ＃２２、＃２３における処理をより詳細に図１２に示す。まず、表示部１７に一度に表示し得るサムネイル画像の最大数Ｍ０を設定し、サムネイル画像の表示位置Ｍを１とする（ステップ＃２０２）。例えば、横に３つ、縦に３つの画像を表示するとき、Ｍ０は９であり、その場合の、右端中央の表示位置Ｍは６である。次いで、作業用メモリ１９から先頭の画像番号Ｎを読み出す（＃２０４）。
【００７３】
そして、画像番号Ｎが０か否かを判定し（＃２０６）、０でなければ、表示位置Ｍが最大数Ｍ０以下であるか否かを判定する（＃２０８）。表示位置Ｍが最大数Ｍ０以下のときは、保存用メモリ２０から画像番号Ｎのサムネイル画像データを読み出して（＃２１０）、解凍し（＃２１２）、解凍後の画像データを、表示用メモリ１８の表示位置Ｍに対応する領域に記憶する（＃２１４）。
【００７４】
次いで、作業用メモリ１９のＮ番目の管理情報を参照して（＃２１６）、２Ｄ／３Ｄ属性を判定する（＃２１８）。２Ｄ／３Ｄ属性が「２Ｄ」のときは、作業用メモリ１９のＮ番目の管理情報を参照して（＃２２０）、著作権属性を判定する（＃２２２）。著作権情報が「なし」のときは、そのＮ番目の画像データを選択可能（メールに添付してよい）とし、その旨を作業用メモリ１９の所定領域に記憶する（＃２２４）。
【００７５】
ステップ＃２１８の判定で、２Ｄ／３Ｄ属性が「３Ｄ」のとき、または、ステップ＃２２２の判定で、著作権属性が「あり」のときは、選択不可とする（＃２２６）。さらに、選択不可であることを明確に示すために、表示用メモリ１８中のその画像データを修飾して、斜線を表すデータを付加する（＃２２８）。
【００７６】
これらの処理に続き、表示用メモリ１８の全てのデータを用いて表示部１７に表示する（＃２３０）。これで、ステップ＃２１４の処理を行った回数に等しい数のサムネイル画像が表示される。次いで、作業用メモリ１９から次の画像番号Ｎを読み出し（＃２３２）、表示位置Ｍを１だけ増して（＃２３４）、ステップ＃２０６に戻る。
【００７７】
ステップ＃２０６の判定で画像番号Ｎが０のとき、すなわち全ての画像データのサムネイル画像を表示し終えたとき、または、ステップ＃２０８の判定で表示位置Ｍが最大数Ｍ０を超えたとき、すなわちサムネイル画像を表示する位置に余裕がなくなったときは、操作部１４が操作されて、表示のスクロールが指示されたか否かを判定する（＃２３６）。スクロールの指示があったときは、それに応じて、表示位置Ｍを更新し（＃２３８）、画像番号Ｎも更新する（＃２４０）。例えば、横方向に３つ並べてサムネイル画像を表示しているときは、表示位置Ｍを３増加または減少させる。そして、ステップ＃２０６に戻る。
【００７８】
スクロールの指示がないときは、決定が指示されたか否かを判定する（＃２４２）。この指示は、使用者が操作部１４の所定のキーを操作することによって与える。また、使用者は、この指示を与える前に、操作部１４のカーソルキーを操作して表示部１７のカーソルを選択したいサムネイル画像の上に位置させておく。決定の指示がないときはステップ＃２３６に戻る。
【００７９】
決定の指示があったときは、カーソルが存在する表示位置に対応する画像番号について、ステップ＃２２４または＃２２６で記憶した情報を作業用メモリ１９から読み出し、選択可であるか選択不可であるかを判定する（＃２４４）。選択不可のときは、ステップ＃２３６に戻る。選択可のときは、その画像番号の画像データを保存用メモリ２０から読み出し（＃２４６）、また、そのファイル名を作業用メモリ１９から読み出す（＃２４８）。その後、図１１のステップ＃２４において、読み出した画像データに読み出したファイル名をつけて、電子メールに添付する。
【００８０】
ステップ＃２２８で修飾された画像データが表すサムネイル画像の例を図１３に示す。図１３（ａ）は前述の図６（ｃ）のサムネイル画像に斜線を付したものであり、図１３（ｂ）は図６（ｅ）のサムネイル画像に斜線を付したものである。このように斜線を付すことによって、電子メールに添付することが許されていない画像データを明確にすることができる。斜線を付すことに代えて、「不可」の文字等の他の表示を加えることで、添付が許されないことを明確にしてもよい。また、色彩のない白黒画像とすることで、添付が許されないことを明確にしてもよい。なお、電子メールへの添付のためではなく、画像の表示のためにサムネイル画像の一覧を表示するときは、図６（ａ）〜図６（ｅ）に示したごとく、添付が許されないことを示す斜線等の表示は行わない。
【００８１】
電子メールに添付することの可否の判断基準の例を図１４に示す。ＪＰＥＧ方式で作成された画像データのうち、２次元であってインターネットを介して取得したものは、通常、著作権に関する情報が付加されており、著作権属性に基づいて添付不可とする。また、撮像部１５での撮影により取得した２次元の画像データは、著作権属性および２Ｄ／３Ｄ属性に基づいて添付の可否を判断するが、２Ｄ／３Ｄ属性からは添付可であり、著作権属性からも添付可となる。ただし、携帯式電話機１は、撮像部１５で撮影した画像を表す画像データに著作権に関する情報を付加する機能も備えており、使用者が著作権に関する情報を付加したときは、著作権属性によって添付不可となる。
【００８２】
ＪＰＥＧ方式で作成された画像データのうち、３次元であってインターネットを介して取得したものも、通常、著作権に関する情報が付加されており、著作権属性に基づいて添付不可とする。また、たとえ著作権に関する情報が付加されておらず、著作権属性からは可となっても、２Ｄ／３Ｄ属性から不可とする。また、３次元への変換機能によって２次元の画像データから作成した画像データ（ファイル名の拡張子はＳＴＪ）は、２Ｄ／３Ｄ属性から不可とする。３次元の画像を表示し得る携帯式電話機はあまり普及しておらず、３次元の画像データを送信しても無駄になる可能性が高いからである。
【００８３】
Ｅアニメーションの画像データ（ファイル名の拡張子はＮＶＡ）は、２次元の画像を表すものであるか３次元の画像を表すものであるかにかかわらず、著作権属性または画像種別（画像の種類）から添付不可とする。著作権属性からは可となる場合でも、画像種別は常にＮＶＡであり、Ｅアニメーションの画像データは常に添付不可となる。
【００８４】
なお、携帯式電話機１では、中央部が空白の、すなわち周辺部のみのＥアニメーションの画像データを保存用メモリ２０にいくつか記憶しており、これらの画像データと撮像部１５で撮影した画像の画像データとを合成して、フレームに相当する周辺部が滑らかに動く画像として表示する機能を有する。これらのＥアニメーションの画像データにも２次元のものと３次元のものとがあるが、いずれの画像データも、その画像種別（ＮＶＡ）に基づいて、メールへの添付を不可とする。Ｅアニメーションの画像を表示し得る携帯式電話機は、３次元の画像を表示し得る携帯式電話機と同様に、未だ広範には普及しておらず、Ｅアニメーションの画像データを送信しても無駄になり易いからである。
【００８５】
前述のように、携帯式電話機１は、外部機器インターフェース１６（図１参照）に接続されたケーブルを介して、パーソナルコンピュータ等の他の機器と通信することができる。この通信で他の機器に送信し得る情報には画像データも含まれるが、この場合も、画像データの送信の可否を、電子メールへの添付の可否と同様にして判断する。これにより、画像データ作成者の著作権が確実に保護されるとともに、無駄な送信を避けることができる。
【００８６】
なお、本発明は、以下のように表現することもできる。すなわち、本発明は、画像データを電子メールに添付して送信する携帯式電話機であって、画像データが表す画像の縮小画像を表示して、使用者によって指定された縮小画像に対応する画像データを電子メールに添付するものにおいて、画像データの電子メールへの添付の可否を所定の基準によって定めるとともに、電子メールへの添付の可否にかかわらず全ての画像データが表す画像の縮小画像を表示し、添付可の画像データが表す画像の縮小画像と添付不可の画像データが表す画像の縮小画像とで、表示様式を相違させるようにしたものである。
【００８７】
この携帯式電話機では、所定の画像データについては電子メールへの添付を許さない。ただし、電子メールに添付する画像データを選択するときに表示するサムネイル画像の一覧には、添付可の画像データのものと、添付不可の画像データのものの、双方を含める。また、添付可の画像データのサムネイル画像と添付不可の画像データのサムネイル画像とを、異なる様式で表示する。これにより、存在する全ての画像データが使用者に判り、しかも、電子メールへの添付が許されない画像データも明確になる。なお、電子メールへの添付可否の判断基準は、例えば、著作権情報の有無であり、また、画像データが表す画像の次元である。
【００８８】
電子メールへの添付の可否に応じて表示様式を相違させることは、具体的には、添付不可の画像データが表す画像の縮小画像に、所定の画像を重ねて表示することによって行う。また、添付不可の画像データが表す画像の縮小画像を、色彩のない画像として表示することでも行うことができる。
【図面の簡単な説明】
【００８９】
【図１】本発明の一実施形態の携帯式電話機の概略構成を模式的に示すブロック図。
【図２】上記携帯式電話機における２次元の画像と３次元の画像の表示の原理を示す図。
【図３】３次元の画像の提供に際し、左眼用の画像の光と右眼用の画像の光をそれぞれ選択的に左眼および右眼に導くための上記携帯式電話機の構成を模式的に示す図。
【図４】３次元の画像を表す画像データの一般的なデータ配列を模式的に示す図。
【図５】３次元の画像を表す画像データに基づいて表示した画像の例を模式的に示す図。
【図６】上記携帯式電話機におけるサムネイル画像の表示例を模式的に示す図。
【図７】上記携帯式電話機における画像データ取得時の処理の流れの概略を示すフローチャート。
【図８】上記携帯式電話機の作業用メモリおよび保存用メモリにおける記憶内容の構造を模式的に示す図。
【図９】図７に示した画像データ取得時の処理のうち、ステップ＃１２〜＃１５における処理を詳細に示すフローチャート。
【図１０】ＪＰＥＧ方式による圧縮処理で用いられるパラメータを示す図。
【図１１】上記携帯式電話機における電子メールを作成して送信する際の処理の流れの概略を示すフローチャート。
【図１２】図１１に示した電子メールに関する処理のうち、ステップ＃２２、＃２３における処理を詳細に示すフローチャート。
【図１３】上記携帯式電話機において電子メールに添付する画像データの選択の際に表示するサムネイル画像の例を示す図。
【図１４】上記携帯式電話機における電子メールへの画像データの添付可否の判断基準を示す図。
【符号の説明】
【００９０】
１    携帯式電話機
１０    制御部
１０ａ  ＣＰＵ
１１    通信部
１１ａ  アンテナ
１２    音声入力部
１３    音声出力部
１４    操作部
１５    撮像部
１６    外部機器インターフェース
１７    表示部
１７ａ  画像表示用液晶パネル
１７ｂ  遮光用液晶パネル
１７ｃ  導光板
１７ｄ  光源
１８    表示用メモリ
１９    作業用メモリ
２０    保存用メモリ
２１    プログラムメモリ
２２    パラメータメモリ
【図１】
2006146931.tif 000003
【図２】
2006146931.tif 000004
【図３】
2006146931.tif 000005
【図４】
2006146931.tif 000006
【図５】
2006146931.tif 000007
【図６】
2006146931.tif 000008
【図７】
2006146931.tif 000009
【図８】
2006146931.tif 000010
【図９】
2006146931.tif 000011
【図１０】
2006146931.tif 000012
【図１１】
2006146931.tif 000013
【図１２】
2006146931.tif 000014
【図１３】
2006146931.tif 000015
【図１４】
2006146931.tif 000016